(57)【特許請求の範囲】
【請求項１】
被検者の体内に穿刺して細胞組織を採取するための生検針であって、該生検針を、中実状の内針と、該内針が軸心方向に移動自在に内嵌する中空状の外針とを備え、内針と外針とを、内針の先端部が外針の先端から突出する突出姿勢と、外針の先端より没入する収納姿勢とに相対移動するよう構成するにあたり、内針は外針に対して軸周り方向に回動自在に構成されており、前記内針の先端部には、前記突出姿勢に位置する内針を外針に対して軸回り方向に回動させることで被検者の細胞組織を切断する切断部と、該切断された細胞組織を保持する保持部とが形成されており、該切断部と保持部とは、内針先端部が突出姿勢のときには被検者の体温を受けて径方向外側に拡開変形し、収納姿勢のときには切断された細胞組織を内包できる空隙を有する状態で外針に押圧されて径方向内側に収縮変形するよう形状記憶合金で形成されており、前記内針は、収納姿勢で外針の先端よりも突出した先端突出部を有し、該先端突出部は、先端ほど先鋭となるよう傾斜していて内針の針先を構成し、外針の先端部は、前記先端突出部と同じ斜度で傾斜状に形成されていて、内針が収納姿勢のとき内針の先端突出部と連続するよう傾斜していて生検針の針先を構成していると共に、内針には、外径方向に突出する係合突起が形成され、外針には、前記係合突起が係合する係合溝が側面を貫通するようにして切欠き形成されており、前記係合溝は、内針を収納姿勢と突出姿勢とのあいだに移動させる軸方向に長い第一、第二縦溝と、該第一、第二縦溝の先端部同士を連結する軸回り方向に長い横溝と、横溝から基端側に向けて形成されていて内針を突出姿勢に維持するよう係合突起が係合可能な仮止め溝とを備えて構成されていることを特徴とする生検針。
【請求項２】
内針の先端部には、径方向に貫通する貫通孔が形成され、該貫通孔の孔端縁が切断部であり、貫通孔の互いに対向する内周面間が保持部であることを特徴とする請求項１記載の生検針。
【請求項３】
内針の先端部には、径方向の断面がＣ形状をしていて軸方向に長い長溝が形成され、該長溝の溝端縁が切断部であり、溝跨部が保持部であることを特徴とする請求項１記載の生検針。
【発明の詳細な説明】
【技術分野】
【０００１】
本発明は、主に医療分野において、生体内の細胞組織を検体として採取するための生検針の技術分野に関するものである。
【背景技術】
【０００２】
一般に、医療分野において、被検者の体内から採取した細胞組織を検体として検査するにあたって、医療器具である生検針を被検者の体内に穿刺して細胞組織を採取する手法が知られている。このような生検針にあっては、生検針の先端部を採取対象域まで穿刺させた後、先端部に設けた切断部材によって細胞組織の一部を切断し、該切断された細胞組織を採取するようにしている。
【０００３】
このような生検針として、例えば以下のようなものが知られている。
生検針を、中実状の内針と、該内針が軸心方向に移動自在に内嵌する中空状の外針とを備えたものとし、内針の先端部近傍には細胞組織が入り込む凹溝が形成されたものとする一方、外針の先端は傾斜状にカットされたものとし、凹溝が外針先端部から突出しない状態で生検針を穿刺していき、生検針の先端部が採取対象域近傍に到達したら、凹溝が外針の先端部から突出するよう内針を移動させ、該突出した凹溝内に採取対象の細胞組織を入り込ませ、その後外針を勢いよく突出させることによって前記凹溝に入り込んだ細胞組織を切断するとともに、外針先端部で凹溝を覆蓋することで、前記切断された細胞組織を凹溝内に封じ込め、その後生検針を体内から抜き取ることで細胞組織の採取を行うようにしたものがある（例えば特許文献１参照）。
【０００４】
また、以下のようなものが知られている。
生検針を中実の棒状体とし、該棒状体の側面には径方向に出没する刃体が設けられるとともに、該刃体の後方には刃体によって切断された細胞組織を収納するための収納袋を設けて、棒状体を、刃体が棒状体の側面に没入した状態の棒状体を被検者の体内に穿刺していって、棒状体先端部が採取対象域に達したら刃体を棒状体側面から突出させて、棒状体を軸回り方向に回動することで細胞組織を刃体で切断するとともに、さらに回動することで切断された細胞組織を収納袋に収納していき、その後刃体を棒状体側面に再び没入させた状態にして生検針を体内から抜き取ることで細胞組織を採取するようにしたものがある（特許文献２参照）。
【先行技術文献】
【特許文献】
【０００５】
【特許文献１】特公平６−２８６６３号公報
【特許文献２】特開２００２−２８２２５４号公報
【発明の概要】
【発明が解決しようとする課題】
【０００６】
しかしながら、特許文献１のものにおいては、検査対象部位の細胞組織が凹溝に入り込んだことの確認ができず、また仮に凹溝内に細胞組織が入り込んだとしても、外針の先端縁で細胞組織を切断するときに細胞組織が凹溝から逃げ出してしまうこともあって採取の確実性に劣る。そして、採取出来なかった場合には再度生検針を穿刺して採取を試みることになるが、このような再度の試みは被検者にとって肉体的、精神的な苦痛が大きいばかりでなく、生検針を何度も穿刺することによる穿刺部位や細胞組織の損傷によって病原菌感染のリスクが高まることにもなり、被検者にとっては好ましいことではない。さらに、生検針の再使用は衛生上認められていないため、再度の採取を試みるにあたっては新しい生検針を用意しなければならならず、費用的にも問題となる。
【０００７】
また、特許文献２のものにおいては、刃体は穿刺時と抜き取り時には棒状体の内側に格納されるものの、細胞組織切断時には棒状体の側面から大きく突出するため、組織を圧迫してしまい、また組織を抉るようにして切断するため、組織が変形してしまうだけでなく外見上の形状も変わってしまうことがあって被検者にとって肉体的、精神的負担になるという問題がある。また、細胞組織が収納される収納袋は棒状体の側面から突出した状態で抜き取られることになるため、収納されている細胞組織は棒状体の取出時に体内組織から圧迫を受けることになって、圧迫による細胞組織の変形や変質の惧れがあるのみならず、押圧によって収納袋が破けて採取した細胞組織が被検者の健康な細胞組織内に漏れ出てしまう惧れもあり、採取した細胞組織が癌細胞のような転移性のある病変組織であった場合には転移を促進させてしまうという問題がある。さらにまた圧迫によって収納袋ごと生検針から外れて被検者の体内に袋に入った状態で取り残されてしまう可能性もあり、このような場合には直ぐに切開手術を施して収納袋ごと摘出しなければならないことになって、被検者の負担はさらに増大することになり、これらに本発明が解決せんとする課題がある。
【課題を解決するための手段】
【０００８】
本発明は、上記の如き実情に鑑みこれらの課題を解決することを目的として創作されたものであって、請求項１の発明は、被検者の体内に穿刺して細胞組織を採取するための生検針であって、該生検針を、中実状の内針と、該内針が軸心方向に移動自在に内嵌する中空状の外針とを備え、内針と外針とを、内針の先端部が外針の先端から突出する突出姿勢と、外針の先端より没入する収納姿勢とに相対移動するよう構成するにあたり、内針は外針に対して軸周り方向に回動自在に構成されており、前記内針の先端部には、前記突出姿勢に位置する内針を外針に対して軸回り方向に回動させることで被検者の細胞組織を切断する切断部と、該切断された細胞組織を保持する保持部とが形成されており、該切断部と保持部とは、内針先端部が突出姿勢のときには被検者の体温を受けて径方向外側に拡開変形し、収納姿勢のときには切断された細胞組織を内包できる空隙を有する状態で外針に押圧されて径方向内側に収縮変形するよう形状記憶合金で形成されており、前記内針は、収納姿勢で外針の先端よりも突出した先端突出部を有し、該先端突出部は、先端ほど先鋭となるよう傾斜していて内針の針先を構成し、外針の先端部は、前記先端突出部と同じ斜度で傾斜状に形成されていて、内針が収納姿勢のとき内針の先端突出部と連続するよう傾斜していて生検針の針先を構成していると共に、内針には、外径方向に突出する係合突起が形成され、外針には、前記係合突起が係合する係合溝が側面を貫通するようにして切欠き形成されており、前記係合溝は、内針を収納姿勢と突出姿勢とのあいだに移動させる軸方向に長い第一、第二縦溝と、該第一、第二縦溝の先端部同士を連結する軸回り方向に長い横溝と、横溝から基端側に向けて形成されていて内針を突出姿勢に維持するよう係合突起が係合可能な仮止め溝とを備えて構成されていることを特徴とする生検針である。
請求項２の発明は、内針の先端部には、径方向に貫通する貫通孔が形成され、該貫通孔の孔端縁が切断部であり、貫通孔の互いに対向する内周面間が保持部であることを特徴とする請求項１記載の生検針である。
請求項３の発明は、内針の先端部には、径方向の断面がＣ形状をしていて軸方向に長い長溝が形成され、該長溝の溝端縁が切断部であり、溝跨部が保持部であることを特徴とする請求項１記載の生検針である。
【発明の効果】
【０００９】
請求項１の発明とすることにより、生検針は、内針先端部を、外針先端から突出する突出姿勢と、先端より没入する収納姿勢とに相対移動させることで被検者から細胞組織を採取することができるものであり、内針は、外針に対して軸心回りに回動させることで先端部に設けた切断部で細胞組織を切断し、そして保持部で保持して採取できるものでありながら、該切断部と保持部とは、突出姿勢のときには被検者の体温を受けて径方向に拡開変形し、収納姿勢のときには細胞組織を内包できる空隙を有する状態で径方向に収縮変形するよう形状記憶合金で形成されている結果、内針先端部が突出姿勢のときには、切断部および保持部が径方向に拡開変形することになって大きな断面積で切断をし、さらに切断された細胞組織を切断位置で保持するため、細胞組織は確実に切断されるとともに保持されるものであり、内針先端部が収納姿勢のときには、切断部および保持部が径方向に収縮変形するため内針先端部には切断した細胞組織を内包する空隙が形成される。このように、本発明では、切断部を生検針の径方向外側に拡開変形させて細胞組織を切断するとともに、切断後は切断部および細胞組織を保持する保持部を収縮変形させて外針の内側に収納するため、切断した細胞組織の採取を確実におこなうことができる。
また、請求項２の発明とすることにより、内針先端部に貫通孔を形成し、該貫通孔の拡開変形によって切断部が径方向に拡開して細胞組織の切断をおこなうため、細胞組織の切断を確実におこなうことができるとともに、内針先端部は切断された細胞組織を保持部に保持した状態で収縮変形して外針内部で収納姿勢となるため、細胞組織が確実に保持部に保持される。
また、請求項３の発明とすることにより、内針の先端部には、径方向の断面がＣ形状の長溝が形成されるため、切断部で切断された細胞組織が確実に保持部に入り込むとともに、一旦入り込んだ細胞組織が出て行ってしまうようなことがない。
【図面の簡単な説明】
【００１０】
【図１】本発明の生検針の全体図であって、内針が外針に収納された収納姿勢を示す側面断面図である。
【図２】本発明の生検針の全体図であって、内針の先端部が外針の先端から突出した突出姿勢を示す側面断面図である。
【図３】（Ａ）、（Ｂ）は、それぞれ内針と外針の収納姿勢、突出姿勢を示す部分側面断面図である。
【図４】は、外針の展開図である。
【図５】（Ａ）、（Ｂ）、（Ｃ）は、それぞれ、内針の先端部の収縮変形、拡開変形の様子を示す正面断面図、拡開変形の様子を示す部分断面斜視図である。
【図６】（Ａ）は、第二の実施の形態における内針の先端部の収縮変形、（Ｂ）、（Ｃ）、（Ｄ）は、それぞれ拡開変形の様子を示す正面断面図である。
【図７】（Ａ）、（Ｂ）は、それぞれ本発明の第三の実施の形態における内針の先端部の収縮変形および拡開変形を示す正面断面図である。
【発明を実施するための形態】
【００１１】
次に、本発明の実施の形態を図面に基づいて説明する。図面において、１は被検者の細胞組織を採取するための生検針であって、該生検針１は、中実状の内針２と、該内針２が軸心方向に移動自在に内嵌する中空状の外針３とを備えて構成されている。
内針２は、外側面の基端側（操作者の手元側）が大径部２ａ、先端側（針先側）が小径部２ｂとなっており、大径部２ａと小径部２ｂとのあいだには段差状の内針段差部２ｃが形成される。また、外針３は、内側面の基端側が大径部３ａ、先端側が小径部３ｂとなっており、大径部３ａと小径部３ｂとのあいだには段差状の外針段差部３ｃが形成される。そして、前記内針段差部２ｃと外針段差部３ｃとのあいだには、弾機（本実施の形態ではコイルばねを使用）４が、基端部および先端部をそれぞれ内針段差部２ｃおよび外針段差部３ｃに当接させた状態で伸縮自在に巻装されており、該弾機４の付勢力によって、内針２は常に外針３に対して基端側に付勢された状態となっている。
【００１２】
内針２は、基端側端部が外径方向にフランジ状に延出する押出し支持部２ｄとなっており、該押出し支持部２ｄを先端方向に向けて押し込み操作することによって、内針２が弾機４の付勢力に抗して外針３に対して先端側に移動するようになっている。該押出し支持部２ｄの先端側には、内針２を外針３に対して軸回り方向に回動させるための回動操作部２ｅが径方向外方に向けて一対配設されている。そして、押出し支持部２ｄで内針２の押出し操作をした後に、該内針２が押出されている状態は保持したままで回動操作部２ｅを回動させることで、内針２を外針３に対して軸回り方向に相対回動させるようになっている。
【００１３】
内針２の大径部２ａには、外径方向に突出する係合突起２ｆが形成されているが、該係合突起２ｆは、外針３の筒側面部を貫通して形成される係合溝３ｅに移動自在に係合するようになっており、前記押出し支持部２ｄによる押出し操作および回動操作部２ｅによる回動操作によって、係合突起２ｆが後述する係合溝３ｅ内を軸心方向および軸回り方向に移動するようになっている。
【００１４】
内針２の先端部２ｈにあって先端２ｇよりも基端側部位には、軸心方向に長い貫通孔２ｉが径方向に貫通した状態で形成されているが、該貫通孔２ｉは、孔の端縁部に先鋭状の切断刃２ｋが形成されており、さらに貫通孔２ｉの互いに対向する内周面間は、切断刃２ｋによって切断された細胞組織を内包するための空隙であって、該空隙が保持部２ｍとして形成されている。
内針２はニッケル（Ｎｉ）とチタン（Ｔｉ）の合金からなる形状記憶合金で形成されており、貫通孔２ｉのある先端部２ｈは、常温においては、図３（Ａ）に示すように、貫通孔２ｉが径方向に収縮変形する収納姿勢となって外針３の内側に没入可能となるが、被検者の体温を受けると、図３（Ｂ）に示すように、貫通孔２ｉが径方向に拡開変形するよう設定されている。
また図３（Ａ）から明らかなように、内針２は、該内針２が収納姿勢の状態で外針３の先端３ｒよりも突出した先端突出部２ｎを有しており、該先端突出部２ｎは先端ほど先鋭となるよう傾斜して内針２の針先を構成している。
尚、本発明の実施の形態では、形状記憶合金をニッケルとチタンの合金としたが、人体に影響を与えないで形状記憶機能を有する素材であれば、他の素材を用いて形成しても良いことは勿論である。
【００１５】
外針３の側面部からは、一対の把手３ｄが径方向外方に向けて突出形成されており、操作者が生検針１を被検者に穿刺する際には、該把手３ｄを両手で把持して先端２ｇを被検者の体内に穿刺するとともに、被検者の体内において細胞組織を外針内に収納した後は、再び把手３ｄを把持して生検針１を手前に引くことで生検針１を被検者から抜き取るようになっている。
【００１６】
外針３の小径部３ｂには、筒側面を貫通するようにして前述の係合溝３ｅが切欠き形成されているが、該係合溝３ｅは、軸方向に略同じ長さの第一縦溝３ｆおよび第二縦溝３ｇが径方向の略対向位置に形成されるとともに、該第一縦溝３ｆの先端部３ｈと第二縦溝３ｇの先端部３ｉとが周回り方向に長い横溝３ｊの両端部に連結して形成されている。そして、係合突起２ｆを弾機４の付勢に抗して第一縦溝３ｆの基端部３ｋから先端部３ｈへと移動させることで、内針２の先端部２ｈは、外針３の内部に収納される収納姿勢から外針３の先端から突出する突出姿勢へと移動し、被検者の体温を受けて径方向に拡開変形する。そして係合突起２ｆを横溝３ｊの第一縦溝３ｆの先端部３ｈから第二縦溝３ｇの先端部３ｉへと移動させるべく回動操作部２ｅを回動することで、内針２の先端部２ｈは被検者の体内で内針２の略半周分を回動し、該回動によって貫通孔２ｉの孔端縁に形成される切断刃２ｋが回動して被検者の細胞組織を切断するようになっている。しかる後、係合突起２ｆが第二縦溝３ｇの先端部３ｉに到達した後で、操作者が押出し支持部２ｄおよび回動操作部２ｅから手を離すと、係合突起２ｆは弾機４の付勢によって第二縦溝３ｇの先端部３ｉから基端部３ｍへと移動し、先端部２ｈは切断された細胞組織を保持部２ｍに保持した状態で外針３の先端部３ｑに押圧されて径方向に収縮変形し突出姿勢から収納姿勢へと変化するようになっている。
尚、横溝３ｊの第一縦溝３ｆ寄りの位置には、係合突起２ｆを仮止めするための仮止め溝３ｎが基端側に向けて切欠き形成されており、第一縦溝３ｆの先端部３ｈに到達した係合突起２ｆを該仮止め溝３ｎに一旦係合させて突出姿勢となった先端部２ｈを被検者の体内で静止状態にし、超音波画像等で内針先端部２ｈが拡開変形したことを確認できるようになっている。
【００１７】
また、外針３の先端部３ｑは、前述の内針２の先端突出部２ｎと同じ斜度で傾斜状に形成されており、内針２の収納姿勢においては、生検針１の先端部が内針の先端突出部２ｎと外針の先端部３ｑとによって連続した傾斜で生検針１の針先を形成するようになっており、収納姿勢で被検者に穿刺しやすいようになっている。
【００１８】
叙述の如く構成された本発明の実施の形態において、生検針１を被検者の体内に穿刺するにあたっては、生検針１を、内針２の先端部２ｈが外針３の先端部３ｑに没入する収納姿勢の状態にして生検針１の把手３ｄを両手で把持し、生検針１の先端２ｇが採取領域に到達するように生検針１を穿刺していくが、このような穿刺は、一般的に、超音波画像等によって被検者の体内における生検針１の位置を確認しながらおこなわれる。
先端２ｇが採取領域に到達したことが超音波画像等で確認されたら、穿刺のための押し込み操作を停止し、把手３ｄは保持したままの状態にして外針３の姿勢を保ちながら外針３に対して押出し支持部２ｄを押し込み操作し、被検者の体内で内針２の先端部２ｈが外針３の先端３ｒから突出する突出姿勢に変姿させる。このとき係合突起２ｆは、押出し支持部２ｄの押出しによって、第一縦溝３ｆの基端部３ｋから先端部３ｈへと移動するが、該係合突起２ｆが先端部３ｈに当接したら押出し支持部２ｄの押し出し状態は保ったまま、回動操作部２ｅを把持して軸心回りに（本実施の形態では反時計回り）少しだけ回動させて係合突起２ｆを仮止め溝３ｎに係合させる。
【００１９】
このように係合突起２ｆを仮止め溝３ｎに係合させた状態では、内針２の先端部２ｈは、被検者の体内で突出した状態で静止しており、被検者の体温を受けて径方向に拡開変形することになる。内針先端部２ｈが拡開変形する様子を画像等で確認した後は、押出し支持部２ｄを再び押出し操作して係合突起２ｆを仮止め溝３ｎから外し、その後回動操作部２ｅを再び把持して内針２の軸回り方向（本実施の形態では反時計回り）に回動させることで、係合突起２ｆを横溝３ｎの仮止め溝３ｎの形成位置から第二縦溝３ｇの先端部３ｉまで移動させ、この回動によって拡開変形した貫通孔２ｉに形成される切断刃２ｋが被検者の体内で細胞組織を切断するとともに、該切断された細胞組織を保持部２ｍに保持させる。そして、係合突起２ｆが第二縦溝先端部３ｉに到達した後は、把持していた押出し支持部２ｄおよび回動操作部２ｅから手をゆっくり離すことによって係合突起２ｆが弾機４の付勢力を受けて第二縦溝３ｇを先端部３ｉから基端部３ｍへと移動し、これによって内針２の先端部２ｈが収縮変形しながら外針３の内側に没入していって収納姿勢となる。このように内針先端部２ｈが突出姿勢から収納姿勢へと変姿する過程において、切断刃２ｋによって切断され、保持部２ｍに保持されていた細胞組織は、保持部２ｍに保持された状態のままで貫通孔２ｉとともに外針３に収納されることになるため、切断された細胞組織は貫通孔２ｉの内部から外れることなく、外針３の内側に収納される。
【００２０】
このように内針２が形状記憶合金を用いて形成されていて、貫通孔２ｉが、被検者の体温を受けて径方向に拡開変形するため、被検者の細胞組織が貫通孔２ｉに入りやすく、そして該入った細胞組織を、内針２を回転させることで切断することになるため、細胞組織の採取が確実となり、そして採取された細胞組織は、内針先端部２ｈを外針３に没入させると、貫通孔２ｉは細胞組織を内包できる空隙を存した状態で径方向に収縮変形することになって細胞組織の取出ができることになる。
【００２１】
尚、本発明の実施の形態では、貫通孔の形状を楕円形状に拡開する長孔状に構成したが、これに限定される必要はなく、収納姿勢における貫通孔５を、図６（Ａ）に示す第二の実施の形態のように、径方向の断面がＣ形状をしたものが互いに対向する円弧状態となるように形成してもよい。このように形成することによって、収納姿勢における保持部５ａは孔端縁に形成される切断刃５ｂ同士が近接位置で対向することになるため、切断された細胞組織は内針２だけで貫通孔５ｉの内側に内包されるようにして保持部５ａに保持されるため、一層確実に保持される。また、このように形成される貫通孔５ｉの拡開姿勢を、図６（Ｂ）に示すように、孔端縁に形成される切断刃５ｂが全て径方向外方に拡開変形するように構成しても良いし、また、図６（Ｃ）に示すように、切断刃５ｂが一つだけ径方向外方に拡開変形するように構成しても良く、さらには、図６（Ｄ）に示すように、切断刃５ｂのうち、内針の径方向対角線上で対向する切断刃だけが拡開変形するように構成しても良い。このように、切断刃５ｂの拡開変形時における切断刃の形状を種々異なるものに変えて実施することができるため、適宜最適な形状を選択して形成することができる。
【００２２】
さらには、図７に示す第三の実施の形態のように、内針先端部に形成される貫通孔に代えて、径方向の断面がＣ形状であって内針の軸心方向に長く延びる長溝６としても良く、該長溝６は、収納姿勢においては、図７（Ａ）に示すように端縁部同士が近接もしくは当接した状態となった保持部６ａが形成され、突出姿勢においては、図７（Ｂ）に示すように端縁部である切断刃６ｂ同士が拡開して該切断刃６ｂが外径方向に突出するように形成して構成しても良い。内針先端部２ｈをこのように構成した場合、切断部６ｂで切断された細胞組織は、長溝６に形成された保持部６ａに確実に入り込むことになるとともに、一旦保持部６ａに入り込んだ細胞組織が出て行ってしまうようなことがなく、細胞組織の保持を確実に行うことができる。
【産業上の利用可能性】
【００２３】
本発明は、主に医療分野において生体内の細胞組織を検体として採取するために用いられる生検針の技術分野に利用可能である。
【符号の説明】
【００２４】
１    生検針
２    内針
２ｈ  先端部
３    外針
２ｋ  切断刃
２ｍ  保持部  
【要約】      （修正有）【課題】被検者の細胞組織を採取するための生検針を、確実に細胞組織の切断ができるようにするとともに、該切断された細胞組織を生検針内部に保持して採取する。【解決手段】、生検針を、中実状の内針２と内針２が移動自在に内嵌する中空状の外針３とを備えたものとし、内針２の先端部２ｈが外針３の先端３ｑから突出する突出姿勢と、内針２の先端部２ｈが外針３の先端より没入する収納姿勢とに相対移動し、内針２の先端部２ｈには、被検者の細胞組織を切断する切断部２ｋと、切断された細胞組織を保持する保持部２ｍとが形成された貫通孔２ｉが形成され、貫通孔２ｉは、内針先端部２ｈが突出姿勢のときには被検者の体温を受けて径方向外側に拡開変形し、収納姿勢のときには切断された細胞組織を内包できる空隙を有する状態で外針３に押圧されて径方向内側に収縮変形するよう形状記憶合金で形成されている。【選択図】図３【図１】
0005886454.tif 000002
【図２】
0005886454.tif 000003
【図３】
0005886454.tif 000004
【図４】
0005886454.tif 000005
【図５】
0005886454.tif 000006
【図６】
0005886454.tif 000007
【図７】
0005886454.tif 000008